(57)【要約】【課題】複数の端子ブロックのうち、一方の端子ブロックに端子が接続されている場合であっても、短絡することなく他方の端子ブロックへ端子を接続すること、および他方の端子ブロックから接続を解除することを可能にする技術を提供する。【解決手段】装置に固定される基台４０と、ケーブル１７を介して他装置と接続され、さらに基台４０に固定される、第１端子ブロック２０および第２端子ブロック３０を有する端子台１００であって、第１端子ブロック２０から引き出されるケーブル１７は、第２端子ブロック３０から引き出されるケーブル１７に対して、逆の方向から引き出される。【選択図】図２
2014175178.tif 000002
【特許請求の範囲】
【請求項１】
装置に固定される基台と、ケーブルを介して他装置と接続され、さらに前記基台に固定される、第１端子ブロックおよび第２端子ブロックと、を有する端子台であって、
前記第１端子ブロックから引き出される前記ケーブルは、前記第２端子ブロックから引き出される前記ケーブルに対して、逆の方向から引き出される、端子台。
【請求項２】
請求項１に記載の端子台において、
前記基台には、複数のラッピング端子が設けられており、
前記第１端子ブロックおよび前記第２端子ブロックには、導体部が長手方向に所定間隔ごとに設けられており、
前記導体部の上面には、前記ケーブルの先端に設けられる端子を固定する固定部が設けられ、下端には、前記ラッピング端子と嵌合される嵌合部が設けられる、端子台。
【請求項３】
請求項２に記載の端子台において、
前記ラッピング端子と前記嵌合部とは、摺動自在に嵌合される、端子台。
【請求項４】
請求項２または３に記載の端子台において、
前記第１端子ブロックには、前記固定部の前記ケーブルが引き出される方向以外の方向を、水平面と直交する面で囲う第１遮断壁が形成され、
前記第２端子ブロックには、前記固定部の前記ケーブルが引き出される方向以外の方向を、水平面と直交する面で囲う第２遮断壁が形成され、
前記第１遮断壁の前記第２端子ブロック側の面と前記第２遮断壁の前記第１端子ブロック側の面とが、前記第１端子ブロック側の固定部と前記第２端子ブロック側の固定部とを遮断する、端子台。
【請求項５】
請求項２〜４のいずれか一項に記載の端子台において、
前記第１端子ブロックまたは前記第２端子ブロックは、前記基台から分離された後に、前記ケーブルが引き出される方向に設けられる収納部に収納される、端子台。
【請求項６】
請求項１〜５のいずれか一項に記載の端子台において、
前記第１端子ブロックに形成されたネジ孔を介して、前記基台に形成されたネジ穴に挿入されるネジと、
前記第２端子ブロックに形成されたネジ孔を介して、前記基台に形成されたネジ穴に挿入されるネジと、を有し、
前記ネジが締め込まれることで、前記第１端子ブロックおよび前記第２端子ブロックが前記基台に固定される、端子台。
【発明の詳細な説明】
【技術分野】
【０００１】
本発明は、端子台に関する。
【背景技術】
【０００２】
特開２０１０−２４４７５１号公報（特許文献１）には、「外部配線を接続するための複数の上段部ネジ端子を有する上段端子ブロック、下段部ネジ端子を有する下段端子ブロック、および高さ方向に段差を備えた端子台座を備えている。上段端子ブロックは端子台座の高い方の台座部に対して、下段端子ブロックは端子台座の低い方の台座部に対して、それぞれ、固定と取外しとがそれぞれ可能な構造となっている。」と記載されている。
【先行技術文献】
【特許文献】
【０００３】
【特許文献１】特開２０１０−２４４７５１号公報
【発明の概要】
【発明が解決しようとする課題】
【０００４】
特許文献１に記載された技術では、上段端子ブロックのケーブル引き出し方向と下段端子ブロックのケーブル引き出し方向とが等しい。そのため、下段端子ブロックに接続（または接続の解除）をしようとする端子が上段端子ブロックに接続された端子と接触し、短絡する可能性がある。
【０００５】
本発明の目的は、複数の端子ブロックのうち、一方の端子ブロックに端子が接続されている場合であっても、短絡することなく他方の端子ブロックへ端子を接続すること、および他方の端子ブロックから接続を解除することを可能にする技術を提供することである。
【課題を解決するための手段】
【０００６】
本願において開示される発明のうち、代表的なものの概要を簡単に説明すれば、次の通りである。
【０００７】
本発明の一実施の形態は、装置に固定される基台と、ケーブルを介して他装置と接続され、さらに基台に固定される、第１端子ブロックおよび第２端子ブロックを有する端子台であって、第１端子ブロックから引き出されるケーブルは、第２端子ブロックから引き出される前記ケーブルに対して、逆の方向から引き出される。
【発明の効果】
【０００８】
本願において開示される発明のうち、代表的なものによって得られる効果を簡単に説明すれば以下のとおりである。
【０００９】
本発明の一実施の形態によれば、複数の端子ブロックのうち、一方の端子ブロックに端子が接続されている場合であっても、短絡することなく他方の端子ブロックへ端子を接続すること、および他方の端子ブロックから接続を解除することが可能になる。
【図面の簡単な説明】
【００１０】
【図１】プラント制御盤およびその近辺の構成例の概要を示す図である。
【図２】本発明が適用された一実施の形態の端子台の分解斜視図である。
【図３】本発明が適用された一実施の形態の端子台の斜視図である。
【図４】本発明が適用された一実施の形態の端子台の平面図である。
【図５】本発明が適用された一実施の形態の端子台の分解平面図である。
【図６】本発明が適用された一実施の形態の端子台の正面断面図である。
【図７】本発明が適用された一実施の形態の端子台の端子ブロックが収納部に収納された状態を示す図である。
【発明を実施するための形態】
【００１１】
以下、本発明の実施の形態を図面に基づいて詳細に説明する。なお、実施の形態を説明するための全図において、同一部には原則として同一の符号を付し、その繰り返しの説明は省略する。
【００１２】
＜プラント制御盤＞
図１は、プラント制御盤３００およびその近辺を示す図である。図１に示すように、プラント（例えば、発電所）に設けられるプラント制御盤３００は、リレーユニット２００などの装置を有する。リレーユニット２００には、複数の端子台１００が設けられている。また、端子台１００は、ケーブル１７を介してたとえば、計測器７００などの他装置と接続される。
【００１３】
＜端子台＞
図２は、本発明が適用された一実施の形態の端子台の分解斜視図である。図２に示すように、端子台１００は、リレーユニット２００に固定される基台４０と、基台４０に装着される第１端子ブロック２０と、基台４０に装着される第２端子ブロック３０とを有する。
【００１４】
第１端子ブロック２０は、ケーブル１７を介して計測器７００と接続される。第１端子ブロック２０には、ケーブル１７の先端に設けられる端子１１を固定する固定部２９が長手方向に所定間隔ごとに設けられている。また、第１端子ブロック２０には、各固定部２９のケーブル１７が引き出される方向以外の方向を水平面と直交する面で囲う、第１遮断壁２８が形成されている。
【００１５】
第２端子ブロック３０は、ケーブル１７を介して計測器７００と接続される。第２端子ブロック３０には、端子１０を固定する固定部３９が長手方向に所定間隔ごとに設けられている。また、第２端子ブロック３０には、各固定部３９のケーブル１７が引き出される方向以外の方向を水平面と直交する面で囲う、第２遮断壁３８が形成されている。
【００１６】
基台４０は基台固定ネジ４９によって、リレーユニット２００に固定される。また、基台４０には、ネジ穴４１，４２，４３，４４が形成されている。
【００１７】
基台４０に第１端子ブロック２０が装着された状態にて、ネジ５１は、第１端子ブロック２０に形成されたネジ孔２１を介して基台４０のネジ穴４１に向かって挿入され、ネジ５２は、第１端子ブロック２０に形成されたネジ孔２２を介して基台４０のネジ穴４２に向かって挿入される。そして、ネジ５１，５２が締め込まれることでネジ穴４１，４２にネジ５１，５２が挿入され、第１端子ブロック２０は、基台４０に固定される。
【００１８】
基台４０に第２端子ブロック３０が装着された状態にて、ネジ５３は、第２端子ブロック３０に形成されたネジ孔３１を介して基台４０のネジ孔４３に向かって挿入され、ネジ５４は、第２端子ブロック３０に形成されたネジ孔３２を介して、基台４０のネジ穴４４に向かって挿入される。そして、ネジ５３，５４が締め込まれることでネジ穴４３，４４にネジ５３，５４が挿入され、第２端子ブロック３０は、基台４０に固定される。
【００１９】
さらに、基台４０は、基台４０を上下方向に貫通する複数のラッピング端子６０を有する。このラッピング端子６０は、リレーユニット２００から引き出される信号線７０と接続される。
【００２０】
図３は、本発明が適用された一実施の形態の端子台の斜視図である。図３に示すように、同一の形状である第１端子ブロック２０と第２端子ブロック３０とは、対向して基台４０に装着される。
【００２１】
また、第１遮断壁２８の第２端子ブロック３０側の面と第２遮断壁３８の第１端子ブロック２０側の面とによって、第１端子ブロック２０側の固定部２９と第２端子ブロック３０側の固定部３９との間が遮断される。
【００２２】
図４は、本発明が適用された一実施の形態の端子台の平面図である。図４に示すように、第１端子ブロック２０の各固定部２９から引き出されるケーブル１７に対して、第２端子ブロック３０の各固定部３９から引き出されるケーブル１７は、逆の方向から引き出される。そして、第１端子ブロック２０に固定される端子１１と、第２端子ブロック３０に固定される端子１０とは、互いに対向する。
【００２３】
図５は、本発明が適用された一実施の形態の端子台の分解平面図である。図５に示すように、挿入されたネジ５１，５２が抜去され、第１端子ブロック２０を、基台４０から上方に引き抜くことで分離できる。また、挿入されたネジ５３，５４が抜去され、第２端子ブロック３０を、基台４０から上方に引き抜くことで分離できる。
【００２４】
第１端子ブロック２０および、第２端子ブロック３０とは、基台４０がリレーユニット２００に固定された状態であっても、基台４０から分離できる。そして、分離後に、更新後のプラント制御盤３００のリレーユニット２００に予め固定された基台４０に、第１端子ブロック２０と、第２端子ブロック３０とが装着され、その後固定されることで、更新の作業時間を短縮できるようになる。
【００２５】
図７は、基台４０から分離された第１端子ブロック２０および第２端子ブロック３０が、収納部６００，６１０に収納された状態を示す図である。図７に示すように、基台４０から分離された第１端子ブロック２０は、第１端子ブロック２０に接続するケーブル１７が巻回されることに伴い、ケーブル１７が引き出される方向に近接する。そして、第１端子ブロック２０は、ケーブル１７が引き出される方向に設けられる収納部６００に、ケーブル１７が巻回された状態で収納される。
【００２６】
また、基台４０から分離された第２端子ブロック３０は、第２端子ブロック３０に接続するケーブル１７が巻回されることに伴い、ケーブル１７が引き出される方向に近接する。そして、第２端子ブロック３０は、ケーブル１７が引き出される方向に設けられる収納部６１０に、ケーブル１７が巻回された状態で収納される。
【００２７】
図６は、本発明が適用された一実施の形態の端子台の正面断面図である。図６に示すように、第１端子ブロック２０，第２端子ブロック３０が有する導体部８０，８１は、上面に固定部２９，３９が設けられ下端に嵌合部９０，９１が設けられる。
【００２８】
嵌合部９０，９１は、ラッピング端子６０と対応する位置に設けられている。そして、嵌合部９０，９１は、第１端子ブロック２０，第２端子ブロック３０が基台４０に向かって下方に押し込まれるのに伴い、ラッピング端子６０と摺動自在に嵌合される。そして、第１端子ブロック２０および第２端子ブロック３０は、基台４０がリレーユニット２００に固定され、基台４０のラッピング端子６０がリレーユニット２００の信号線７０と接続された状態を維持したまま、基台４０から分離可能に嵌合部９０，９１と嵌合される。
【００２９】
つまり、第１端子ブロック２０または第２端子ブロック３０は、基台４０から上方に引き抜かれることに伴い、嵌合部９０，９１とラッピング端子６０との嵌合が解除され、基台４０から分離される。
【００３０】
また、端子１１は固定部２９によって、第１端子ブロック２０に固定され、端子１０は固定部３９によって、第２端子ブロック３０に固定される。また、ラッピング端子６０は、リレーユニット２００から導入される信号線７０と接続される。そして、端子１０，１１と信号線７０とは、固定部２９，３９、導体部８０，８１、ラッピング端子６０を介して導通される。
【００３１】
＜本実施の形態の効果＞
以上説明した本実施の形態における端子台１００によれば、第１端子ブロック２０から引き出されるケーブル１７が、第２端子ブロック３０から引き出されるケーブル１７に対して、逆の方向から引き出されることで、複数の端子ブロックのうち、一方の端子ブロックにケーブル１７が接続されている場合であっても、短絡することなく他方の端子ブロックへケーブル１７を接続すること、および他方の端子ブロックから接続を解除することが可能になる。
【００３２】
また、第１端子ブロック２０および第２端子ブロック３０に、長手方向に所定間隔ごとに設けられる導体部８０，８１の上面に、端子１０，１１を固定する固定部２９，３９が設けられ、下端に、ラッピング端子６０と嵌合される嵌合部９０，９１が設けられることで、固定部２９，３９と端子１０，１１とラッピング端子６０とを、導体部８０，８１を介して導通させることが可能になる。
【００３３】
さらに、ラッピング端子６０と嵌合部９０とは摺動自在に嵌合されることで、第１端子ブロック２０および第２端子ブロック３０を基台４０から容易に着脱可能になる。また、プラント制御盤３００を更新する際の、端子１０，１１と第１端子ブロック２０，第２端子ブロック３０との接続を解除する作業と、端子１０，１１と第１端子ブロック２０，第２端子ブロック３０との再接続する手間を省けるようになる。
【００３４】
さらに、第１遮断壁２８の第２端子ブロック３０側の面と第２遮断壁３８の第１端子ブロック側２０の面とが、第１端子ブロック２０側の固定部２９と第２端子ブロック３０側の固定部３９との間を遮断することができるようになる。
【００３５】
さらに、第１端子ブロック２０または第２端子ブロック３０は、基台４０から分離された後にケーブル１７が引き出される方向に設けられる収納部６００，６１０に収納できるようになる。
【００３６】
さらに、ネジが締め込まれることで、第１端子ブロックおよび第２端子ブロックが基台に固定されることで、接地抵抗を低減させることができるようになる。
【００３７】
以上、本発明によってなされた発明を実施の形態に基づき具体的に説明したが、本発明は前記実施の形態に限定されるものではなく、その要旨を逸脱しない範囲で種々変更可能であることはいうまでもない。
【符号の説明】
【００３８】
１０，１１  端子
１７  ケーブル
２０  第１端子ブロック
２８  第１遮断壁
２９，３９  固定部
３０  第２端子ブロック
３８  第２遮断壁
４０  基台
４９  基台固定ネジ
５１，５２，５３，５４  ネジ
６０  ラッピング端子
７０  信号線
８０，８１  導体部
９０，９１  嵌合部
１００  端子台
２００  リレーユニット
３００  プラント制御盤
【図１】
2014175178.tif 000003
【図２】
2014175178.tif 000004
【図３】
2014175178.tif 000005
【図４】
2014175178.tif 000006
【図５】
2014175178.tif 000007
【図６】
2014175178.tif 000008
【図７】
2014175178.tif 000009